(57)【要約】  【課題】簡単な構造で収納物を確実に固定した状態で箱に収納にすることができ、その梱包作業もいたって楽に手早く行なうことのできる梱包材と、その梱包材を使用して物品を箱に収納する方法を提供できるようにする。【解決手段】箱と、物品を固定した状態で箱の内方に収納される梱包材とを備え、梱包材は物品を載置する物品載置面と、当該物品載置面の少なくとも一対の対向する部分に折り曲げにより脚部を形成する脚部形成面と、脚部形成面が折り曲げられて脚部を形成したときに物品載置面から突出して箱に収納される物品を固定する挟持片を脚部形成面と一連に形成し、梱包材が箱に収納されたときに、折り曲げられた脚部と物品載置面との角度が鈍角になるように物品載置面の大きさ乃至箱のうちのりを形成した。【選択図】図１
2008110772.tif 000002
【特許請求の範囲】
【請求項１】
箱と、物品を固定した状態で箱の内方に収納される梱包材とを備え、梱包材は物品を載置する物品載置面と、当該物品載置面の少なくとも一対の対向する部分に折り曲げにより脚部を形成する脚部形成面と、脚部形成面が折り曲げられて脚部を形成したときに物品載置面から突出して箱に収納される物品を固定する挟持片を脚部形成面と一連に形成し、梱包材が箱に収納されたときに、折り曲げられた脚部と物品載置面との角度が鈍角になるように物品載置面の大きさ乃至箱のうちのりを形成したことを特徴とする箱に収納される物品の梱包材。
【請求項２】
箱に収納された梱包材の脚部形成面と物品載置面との角度が１３５度となるように物品載置面若しくは箱のうちのりの大きさを形成したことを特徴とする請求項１に記載の箱に収納される物品の梱包材。
【請求項３】
梱包材の素材が一対のシート間に波形部材を介在させた段ボールであって、段ボールの波形に直交する筋が、物品載置面に形成される脚部形成面間方向に位置するように配置したことを特徴とする請求項１または請求項２に記載の箱に収納される物品の梱包材。
【請求項４】
物品載置面の少なくとも一対の対向する部分に挟持片と一連に脚部形成面を形成し、脚部形成面を折り起して挟持片を物品載置面から突出させ、この突出させた挟持片間の物品載置面に物品を載置した状態で箱に収納し、脚部形成面の下端部が箱の隅部に受け止められて脚部形成面と物品載置面との角度が鈍角になることにより、挟持片が物品に当接して当該物品を固定するようにしたことを特徴とする箱に収納される物品の梱包方法。
【発明の詳細な説明】
【技術分野】
【０００１】
本発明はプリント基板、取扱説明書、ＣＤ、ＬＣＤ等の板状の製品を固定して箱に収納するための梱包材およびその梱包材を用いて板状の製品を梱包する梱包方法に関するものである。
【背景技術】
【０００２】
一般に、梱包材は収納時や輸送時等に商品が損傷するのを防止するために使用するもので、使用後は廃棄処分されるためにコストの安い段ボールが使用される。
板状の製品を固定するための段ボール製の梱包材として、例えば、ダンボールを二つ折り以上に折り曲げ、板状の製品の上方の衝撃吸収用パッドおよび位置決め用ガイドパッドを形成し、上下の衝撃吸収用パッドで板状の製品（収納物）を挟んで外装ケースに収納することにより、製品に垂直な方向の衝撃を上下の衝撃吸収用パッドで吸収するとともに、位置決め用のパッドまたは、下側の衝撃吸収用パッドの上面に設けられた位置決め用の小片でプリント基板を含む平面の移動を防止して衝撃を吸収するようにしたもの（特許文献１）が知られている。
【０００３】
また、本発明の出願人が先に提案しているように  段ボール紙を折りたたんで嵩高性のある緩衝材を形成し、この緩衝材を収納物の形状にあわせてくりぬいて使用するようにしたものもある（特許文献２）。
【０００４】
更に、段ボールを折り曲げて上下に物品収納部を形成するとともに、外力が作用したときに梱包箱の内面に当接して緩衝効果を高めるための突起を折り曲げ部分に形成したものも提案されている（特許文献３）。
【０００５】
ところが、上記、ダンボールを二つ折り以上に折り曲げて板状の製品の上方の衝撃吸収用パッドおよび位置決め用ガイドパッドを形成し、上下の衝撃吸収用パッドで板状の製品（収納物）を挟んで外装ケースに収納するようにしたものでは、複数の部材を使用することから、使用する段ボールの量が多くなるだけでなく、それぞれの部材を組み立てる工程が必要となり、作業性が低下し、コスト高になるという問題があった。
【０００６】
また、複数の部材を形成するために使用する段ボールの量が多くなることから、省資源に逆行するという問題もある。
更に、収納穴を切り抜いて形成する位置決め用パッドを用いる場合には、切り抜いた部分の段ボールが廃棄物となってしまうとともに、小パッドを設ける場合には、小パッドのための材料も必要となり、これに付随する製作の手間等も要してしまうという問題もある。
【０００７】
加えて、上下衝撃吸収用パッドの位置は、外装ケースに入れられた状態で初めて固定されるため、複数の製品をまとめて輸送する際にも、１つずつ外装ケースに梱包する必要があり、工程数が多なることから、コスト高になってしまうという問題もある。
【０００８】
次に、段ボール紙を折りたたんで嵩高性のある緩衝材を形成し、この緩衝材を収納物の形状にあわせてくりぬいて使用するものでは、切り抜いた部分の段ボールが余分な廃棄物となってしまうため、省資源化の面で問題があり、また、作業時に折り込んで組み立てる工程が必要となり、工程数が多くなってしまうという問題があった。
【０００９】
そして、段ボールを折り曲げて上下に物品収納部を形成するとともに、外力が作用したときに梱包箱の内面に当接して緩衝効果を高めるための突起を折り曲げ部分に形成したものでは、１枚の段ボールを幾度も折り返して取扱説明書等の板状物を収納する部分の底面と上面とを形成するために、例えば左右の両脚部が重複することから、多量の段ボールを要し、不経済になるとともに、幾度も折り込むために作業性も低下するという問題がある。
しかも、折り曲げて突出する突起は外力が作用したときに梱包箱の内面に当接して緩衝効果を高めるためのもので、収納された板状物は簡単にずれ動いてしまい、固定することができないという問題もあった。
【特許文献１】特開平７―４０９７４号公報
【特許文献２】特開平１０―１４７３７５号公報
【特許文献１】特開２００３−２９０４８号公報
【発明の開示】
【発明が解決しようとする課題】
【００１０】
本発明は上記問題点に鑑み提案されたもので、簡単な構造で収納物を確実に固定した状態で箱に収納にすることができ、その梱包作業もいたって楽に手早く行なうことのできる梱包材と、その梱包材を使用して物品を箱に収納する方法を提供できるようにすることを目的とするものである。
【課題を解決するための手段】
【００１１】
上記目的を達成するために本発明の請求項１においては、箱と、物品を固定した状態で箱の内方に収納される梱包材とを備え、梱包材は物品を載置する物品載置面と、当該物品載置面の少なくとも一対の対向する部分に折り曲げにより脚部を形成する脚部形成面と、脚部形成面が折り曲げられて脚部を形成したときに物品載置面から突出して箱に収納される物品を固定する挟持片を脚部形成面と一連に形成し、梱包材が箱に収納されたときに、折り曲げられた脚部と物品載置面との角度が鈍角になるように物品載置面の大きさ乃至箱のうちのりを形成したことを最も主要な特徴とするものである。
【００１２】
また、本発明にかかる請求項２では、箱に収納された梱包材の脚部形成面と物品載置面との角度が１３５度となるように物品載置面若しくは箱のうちのりの大きさを形成したことを特徴とするものである。
本発明にかかる請求項３では、梱包材の素材が一対のシート間に波形部材を介在させた段ボールであって、段ボールの波形に直交する筋が、物品載置面に形成される脚部形成面間方向に位置するように配置したことも特徴とするものである。
【００１３】
次に、本発明にかかる請求項４では、箱に収納される物品の梱包方法であって、物品載置面の少なくとも一対の対向する部分に挟持片と一連に脚部形成面を形成し、脚部形成面を折り起して挟持片を物品載置面から突出させ、この突出させた挟持片間の物品載置面に物品を載置した状態で箱に収納し、脚部形成面の下端部が箱の隅部に受け止められて脚部形成面と物品載置面との角度が鈍角になることにより、挟持片が物品に当接して当該物品を固定するようにしたことを最も主要な特徴とするものである。
【発明の効果】
【００１４】
本発明の箱に収納される物品の梱包材によれば、物品を載置する物品載置面と、当該物品載置面の少なくとも一対の対向する部分に折り曲げにより脚部を形成する脚部形成面と、脚部形成面が折り曲げられて脚部を形成したときに物品載置面から突出して箱に収納される物品を固定する挟持片を脚部形成面と一連に形成するようにしてあるので、簡単な構造で済み、梱包材を安価に提供することができる利点がある。
また、簡単な構造であることから、使用する段ボールも少量で済む上、先の提案にかかるようなくり抜き等の手間もなくせる上、廃材の発生も極めて少ないので、無駄がなく、経済的で、省資源化に寄与できる利点もある。
【００１５】
次に、本発明の箱に収納される物品の梱包方法によれば、物品載置面の側方に一体形成された脚部形成面を折り起こすだけで脚部形成面と一体に形成された挟持片突出するので、
組立作業も折り起こすだけの簡単操作で手早く行なえ、作業効率を向上させることができる利点がある。
また、脚部形成面を折り起こすことにより、物品載置面から突出する挟持片間に物品を載置するだけの操作で箱に収納する物品をセットでき、手間を掛けることなくセット作業を簡単に行なうことができる利点もある
【００１６】
更に、脚部形成面を折り起し、物品載置面から突出する挟持片間に物品を載置した状態で箱内に収納するだけで、脚部形成面が弾性復帰し、その下端部が箱の隅部に受けとめられて脚部形成面と物品載置面との角度が鈍角になることにより、挟持片が物品に当接して当該物品を確りと固定されるので、収納物品の固定作業が不要となり、作業性を大幅に向上させることができる利点がある。
【発明を実施するための最良の形態】
【００１７】
以下に本発明の最も好ましい実施の形態を図面に基づいて説明する。
図１は箱１と、この箱１に収納されるプリント基板、取扱説明書、ＣＤ、ＬＣＤ等の板状の物品（製品）２と、この物品２を位置決め固定した状態で箱１に収納する梱包材３を示す分解斜視図である。
箱１は、厚紙や段ボール等のシート素材で一側方が開口する角型の容器状に形成されており、本例では段ボールが使用されている。
【００１８】
梱包材１は図１及び図２に示すように、中央部分に矩形の物品載置面４が形成され、当該物品載置面の図上上下両側部分及び左右両側部分には点線で示す山折り線５・６を介して脚部形成面７・９がそれぞれ形成されており、上下両側部分に形成される脚部形成面７の脚部８の長さをａ、左右両側部分に形成される脚部形成面９の脚部１０の長さをｂ、物品載置面４の端と箱１のうちのりとの距離（後述する左右方向へのずれ動きを防止する突片１１の突出長さ）をｃとした時、ｂ＝√（ａ2+ｃ2）の関係にとなるように設定される。
左右両側部分に形成された脚部形成面９には板状の物品４を左右から挟持するための挟持片１２が前記山折り線６を越えて物品載置面４の内方に突出する状態で、且つ脚部形成面９から延長された状態で一体に形成されており、当然のことながら当該挟持片１２部分には図２に示すように山折り線６は形成されない。
【００１９】
図中符号１１は梱包材３が一側に形成された開口部分から箱１に挿入して収納されたときに図上左右方向へのずれ動きを防止する突片であって、その左右端部間の長さＬは箱１の左右のうちのりＬ１と略等しくするとともに、上下端部寄りの突片１１は物品載置面４から延長された状態で一体に、内方の突片１１は物品載置面４から前記山折り線６を越えて脚部形成面９に突出する状態で形成された切り込み線により物品載置面４から延長された状態で一体に形成されており、前記挟持片１２部分と同様、当然のことながら当該突片１１部分には山折り線６は形成されない（図２参照）。
また、梱包材３が箱１に収納されたときの図１中のＬ３方向（上下方向）へのずれ動きの防止は、物品載置面４の上下端部間（上下の山折り線５・５間）の長さＬ２を箱の上下のうちのりの長さＬ３と略等しくすることにより行なっている。
【００２０】
尚、符号１３は物品載置面４に載置された板状物品２の上下方向の位置決めをする位置決め片であって、Ｕ型の切り込み線１４と、この切り込み線１４に二点鎖線で示す谷折り線１５と点線の山折り線１６とを設けてなり、谷折り線１５と山折り線１６との間隔は物品載置面４に載置される板状の物品２の厚みに合わせてある。
【００２１】
上記各切り込み線１４や山折り線５・６・１６及び谷折り線１５等は、一対のクラフト紙の間に波形に成形されたクラフト紙を設けてなる段ボールの当該波形に直交する筋が両脚部形成面９・９間（図２上、左右方向）に位置するようにして梱包材３がトムソン等の打抜き装置（図示せず）により、図２に示すような形状に型抜きされるときに同時に形成される。
即ち、全体の形状が打ち抜かれるとき、切り込み線１４は切り込まれ、山折り線５・６・１６及び谷折り線１５は本例では段ボールの波形をつぶして厚みを薄くし折り曲げやすくなるようにしてある。
尚、山折り線５・６・１６及び谷折り線１５はミシン目加工やハーフカットすることにより曲げやすくすることもできる。
【００２２】
因みに、一対のクラフト紙の間に波形に成形されたクラフト紙を設けてなる段ボールでは、構造上、波形に直交する筋に対する耐座屈力が高いことから、本例のように波形に直交する筋が両脚部形成面間９・９に位置するようにして打抜き成形すると、左右方向へのずれ動きを防止する突片１１および挟持片１２の耐座屈力が高くなる。
【００２３】
上記のように形成された梱包材３でプリント基板、取扱説明書、ＣＤ、ＬＣＤ等の板状の物品２を梱包する手順を次に説明する。
先ず、図２のように段ボールを打抜きされたシート状の梱包材３は、位置決め片１３を折り起こすとともに、図３（ａ）に示すように、物品載置面４の四囲に形成された山折り線５・６部分で脚部形成面７・９を梱包材３の裏面側に折り曲げて脚部８・１０を形成する。
すると、脚部形成面９から延長された状態で一体に形成された挟持片１２は、物品載置面４から突出した状態になる（図１及び図３（ｂ）参照）。
【００２４】
次に、板状の物品２を位置決め片１３で位置決めした状態で左右の挟持片１２・１２間の物品載置面４に載置し、板状の物品２とともに梱包材３を箱１に収納する。
板状の物品２とともに箱１に収納された梱包材３の左右の脚部１０は、梱包材３が箱１に収納されると、山折り線６部分が徐々に弾性復帰し、折り曲げられた脚部１０と物品載置面４との角度が鈍角になるように脚部１０が左右に広がって挟持片１２で板状の物品２を挟持し、その挟持力を高めながら、図３（ｃ）に示すように当該脚部１０の下端部が箱１の隅部に受け止められる。
【００２５】
ここで、脚部１０の下端部が箱１の隅部に受け止められたとき、脚部形成面９と物品載置面４との角度θが１３５度（挟持片と物品載置面との角度θ１は４５度）となるように上記ａ・ｂ・ｃはａ≒ｃに設定することが望ましい。
つまり、脚部形成面９と物品載置面４との角度θが１３５度の場合、脚部１０を介して箱１の隅部から底面と側面にと作用する物品載置面４の荷重や衝撃力が均等に分散され、脚部１０が座屈に最も強い角度となる。
上述のように、板状の物品２を梱包材３の物品載置面４に挟持片１２で挟持させた状態で箱１に収納するだけでずれ動くことなく確りと固定することができる。
【００２６】
また、箱１に収納された板状の物品２を取り出す場合は、梱包材３を箱１から取り出し、脚部１０をその端部同士が近接するように物品載置面４の裏側に折りこむだけで板状の物品２を取り出すことができる。
これにより、梱包作業や開封時の手間を少なくすることができる。
一方、板状の物品２を取り出した後の梱包材３は、山折りにした部分を逆に谷折りに折り返して図２に示すようにシート状にすると、嵩張らず処理することができる。
【００２７】
本例では、脚部１０の端部を箱１の隅部に受け止めさせるようにしてあるが、本発明にいう箱１の隅部とは必ずしも箱１の底部と側壁とで形成される隅部に限られず、図４に示すように箱１の底部に収納した取扱説明書やパンフレット等の収納物１７の上面と側壁とで形成される隅部をも包含する。
また、本例では突片１１を図上、片側に両端部と脚部形成面９部分の３箇所形成したものを示しているが、後述する図５に示すように一つの箱１に複数段重ねて梱包する場合を除き、少なくとも両端部に突片１１を設ければよい。
図５に示すものは、本発明にかかる梱包材を一つの箱１に複数段重ねて梱包するものであり、この場合も個々の梱包材３の物品載置面４に載置した板状の物品は上述したのと同様に確りと位置決めされた状態で固定されるという作用・効果は損なわれない。
こうした場合、上に位置する脚部１０の下端はその下に位置する突片１１に受け止められることから、上下両側部分に形成され垂直に折り曲げられる脚部８を有しないものでは、突片１１を脚部形成面９内に形成されることが必要になり、強度の面からはその幅は長く、または複数個形成することが望ましい。
【００２８】
尚、上記実施の形態では、板状の物品２が矩形ものとなっているが、例えば板状の物品２の形状が多角形や１辺が円弧状になっている場合は、図６に示すように物品載置面４の１辺を多角形状に形成することで対応することができる。
また、上記実施の形態では望ましい実施の形態として梱包材３を段ボールで形成するようにしてあるがこうしたものに限られず、発泡合成樹脂製シート等で形成することも可能であることはいうまでもないことである。
【００２９】
因みに、上記実施の形態のように箱１の一側方に物品の出し入れ用の開口を設けたものでは、中の商品を取り出すときに、当該箱１の開口を開けて下に向けても、梱包材の脚部の下端部が箱の隅部に当接していることから、梱包材をつまんで出さない限り勝手に出ないので、中の物品が不意に飛び出して損傷することがない。
【図面の簡単な説明】
【００３０】
【図１】は本発明にかかる梱包材を使用して梱包するときの分解斜視図である。
【図２】は本発明にかかる梱包材を展開した正面図である。
【図３】は本発明にかかる梱包材を使用する手順を示す概略図である。
【図４】は本発明にかかる梱包材を使用して梱包する一例の概略を示す断面図である。
【図５】は本発明にかかる梱包材を複数使用して梱包する例の概略を示す断面図である。
【図６】は本発明にかかる梱包材の変形例の斜視図である。
【符号の説明】
【００３１】
１・・・箱
２・・・板状の物品
３・・・梱包材
４・・・物品載置面
７・９・・・脚部形成面
８・１０・・・脚部
１１・・・突片
１２・・・挟持片
【図１】
2008110772.tif 000003
【図２】
2008110772.tif 000004
【図３】
2008110772.tif 000005
【図４】
2008110772.tif 000006
【図５】
2008110772.tif 000007
【図６】
2008110772.tif 000008